(57)【特許請求の範囲】
【請求項１】
冷蔵または冷凍状態の商品を陳列するスペースを提供するキャビネットと、商品を陳列販売するための開放部分を開閉するドアが設けられているショーケースと、上記ショーケースの上記キャビネットの内部に、商品を陳列して先入れ先出しできるように棚構造を取付けて回転自在にしている回転型棚構造において、
上記棚構造は、
上記キャビネットの内部底に固定されながら中央に下部軸が取付けられ、その縁部が円形になって垂直方向に切曲されて遮断壁を形成しているベース板と；
上記ベース板の上記下部軸に嵌合されるブシュと回転をうまくするための複数のボールキャスターを底面に取付け、縁部を直交方向に切曲して両端の前後方に嵌合溝を空けてある「 
0005791218.tif 000007
」形態の下部板と；
上記下部板と対応するように上部に配置し、その上部にブシュを取付け、縁部を直交方向に切曲して両端の前後方に嵌合溝を空けてある上部板と；
上記下部板の嵌合溝と上部板の嵌合溝に上下端が嵌合されるように切開部を形成し、複数の固定溝を垂直方向に沿って形成しながら「 
0005791218.tif 000008
」形状に切曲形成した第１柱と第２柱に分割し、上記下部板と上記上部板の両端が上下部に固定されるようになる支柱フレームと；
上記上部板に取付けられてブシュに嵌合される上部軸を備えている固定板が上記キャビネットの両側壁に固定されるように分割されている支持板の上部に嵌合されて載せて締結するように、上記支持板の上部が開放された状態になる固定部材；及び
上記支柱フレームの上記第１柱及び上記第２柱に形成されている上記複数の固定溝に両端が掛かる固定ピンと、当該固定ピンを挿入して両端を露出する前面フレーム及び後面フレームと、当該前面フレームと当該後面フレームの間隔を維持するように載せて固定し、商品の離脱を防止する垂直壁を有するガイド板と、上記ガイド板の中間に固定される支持フレームと、回転する際、上記前面フレームの角部が上記キャビネットの壁面に触れないように回転中心を前方に位置させながら、上記後面フレームに固定され、かつ角部が上記キャビネットの壁面に触れないで回転するように面取りした後方板とでなっていて、ローラー部材が載せられて商品を陳列するように多角形になる陳列プレートを有することを特徴とする、ショーケースの回転型棚構造。
【請求項２】
上記陳列プレートの上記ガイド板の底面に引掛溝を前後方に空け、上記支柱フレームの上記第１柱及び上記第２柱に形成されている上記複数の固定溝に嵌合されて固定するクリップを備え、当該クリップの突起に上記陳列プレートの上記ガイド板の底面に形成されている引掛溝が結合するようにしながら、後方プレートを除いた状態で上記陳列プレートが構成することを特徴とする、請求項１に記載の回転型棚構造。
【発明の詳細な説明】
【技術分野】
【０００１】
本発明は先入れ先出しができるように商品を陳列して置く棚を回転させて、販売された商品を外部から便利に補充するようにした、ショーケースの回転型棚構造に関するもので、より詳しくは棚そのものの重量を最小化しながら耐久性を持ち、組立てが便利になり製造原価の節減できるし、また冷気の循環がうまくなるように改良することをその特徴とする、ショーケースの回転型棚構造に関するものである。
【背景技術】
【０００２】
一般的にスーパーやコンビニなどに設置されている冷蔵用又は冷凍用ショーケースの棚には色々な種類の商品が陳列されるので、陳列商品は購買者が識別や選択しやすくするため多段として陳列されるし、多様な商品を陳列するために棚の高さを調節することができるようになっている。従来のリーチインタイプのショーケースは、ボックス形のキャビネットの前方には商品などを搬入・搬出するように開閉可能なドアが備えられ、キャビネットの内部には商品などを載置することができる多数の棚が設けられる。上記ショーケースはキャビネット内の左右側壁に水平方向において多数の設置凹部が形成されたブラケットが備えられていて、上記ブラケットの設置凹部に棚の両端を直接、またはクリップなどを利用して固定することによって、色々な食品及び飲み物などの商品を載置するようになる。
【０００３】
しかし、上記棚が水平状態に固定配置されている場合、棚の前方に置いてある商品なら消費者が容易に識別することができるが、棚の内側の方に置かれている商品は消費者がわざわざ取出して確認しなければならないので不便を感じていた。また、上記棚は固定されている状態なので、内側に陳列された商品の展示性を向上するにも限界があり、先入れ先出しにならなくて管理者がひとつひとつの商品取って前方の空いているスペースに移して陳列しなけらばならない問題があった。
【０００４】
上記普遍的な固定式棚の問題を解決するため、ショーケースの棚に陳列された商品の位置を変動させることのできる回転型棚らが提案されていた。上記回転型棚らは韓国実用新案登録出願第２０―１９９７―００２０２１８号の「ショーケースの自由回転型棚の構造」、 韓国実用新案登録出願第２０―１９９７―００２０２２７号の「ショーケースの回転型棚」、韓国特許出願第１０―１９９７―００３５８９７号の「ショーケースの回転型棚構造」及び韓国特許出願第１０―１９９７―００１７４７４号の「ショーケースの回転棚の駆動装置」が開示されている。上記棚構造は中心軸に商品を載置する水平状態の円形板を多数装着している構成で、中心軸を中心として円形板を回転させて、取出したい商品がドアの開放位置まで来るようにする構成になっていて、人の力で円形板を回したり駆動モーターを利用して中心軸を回転させることになる。上記回転棚は水平状になっているので、商品を先入れ先出しがうまくならないし、商品を選択するためには消費者が自分で円形板を回転させなければならない不便があった。
【０００５】
また、上記水平棚らの問題を解決するため、購買者の識別および選択を便利にするように棚の先端にいつも商品が到達していて先入れ先出しされるように、棚を所定の傾斜度で傾いているように構成した。つまり、上記棚の先端に陳列されている商品を消費者が取出したら、所定角度で傾いている棚の傾斜によって次の商品が滑動して棚の先端に移動する。上述するような従来の傾斜棚は商品が良く滑動して、取出されて空いているスペースに次の商品がうまく移動するので、消費者が商品を識別するに容易で先入れ先出しができる長所はある一方、棚が固定されているので商品を補充するためには先端に位置する商品の高さより大きな流入スペースが必要となり、陳列スペースの間隔が大きくて商品の陳列スペースを充分提供できない問題があった。上記問題を解決するため、棚の高さの間隔を最小化しながら、棚の後から商品を陳列するように後方にスペースを備えることもできるが、これも不必要なスペースの増大になり、多量の冷気の供給が必要になるので非経済的で、キャビネットが大きくなるので、設置場所に限界がある問題があった。
【０００６】
一方、上記の問題を解消するため、本出願人は韓国特許出願第１０―２０１０―００１７１７５号(登録番号第１０―１０８９７５２号)「ショーケースの回転型棚構造」を先出願して登録されている。上記回転型棚構造は添付した図１の回転型棚構造の分解斜視図及び斜視図及び、図２の回転型棚構造が装着されいるショーケースの概略断面図のように、冷蔵又は冷凍状態で商品を陳列するスペースを提供するキャビネット１１と、商品を陳列及び販売するための開放部を開閉するドア１２と、上記キャビネット１１の内部に商品を陳列して先入れ先出しが可能で回転自在に設けられた回転型棚構造１００とを有するショーケースが構成されている。
【０００７】
上記回転型棚構造１００をより詳しく説明すると、キャビネット１１の内部底に固定されて中央に下部軸２１を備えている平たなベース板２と、上記ベース板２の下部軸２１に嵌合するブシュ３１を底面の中央に取付け、回転がうまくなるように底面に多数のボールキャスター３２を備え、縁部を直交方向に切曲した「 
0005791218.tif 000002
」形態の下部板３と、上記下部板の両側が嵌合するように切曲形成されて垂直方向へ延長形成しながら垂直方向の両端に第１固定溝４１及び引掛凸部４２″を有する第２固定溝４２が等間隔に多数形成されて、２つで一組になる支柱フレーム４と、上記支柱フレーム４の上端に両側面が当って固定されて、中央上部にブシュ５１を取付け、縁部を直交方向に切曲した上部板５と、上記上部板５に取付けられたブシュ５１に嵌合する上部軸６１を備えた固定板６２及び、この固定板６２の両端に嵌合して水平部６３aが固定され、垂直部６３bがキャビネット１１の内部の両側壁に固定されて、二つで一組みになる支持板６３とでなる固定部材６、そして上記支柱フレーム４の第１固定溝４１及び第２固定溝４２に両端が掛けられる固定ピン７２の両端が貫通した状態で維持するカバー７１を底面の前後方に取付け、縁部を垂直方向に切曲した陳列プレート７を形成する。そして、上記陳列回転中心を前方に位置させ、かつ後方の角部はキャビネット１１の壁面に触れないで回転するように面取りをした「 
0005791218.tif 000003
」形状の多角形にするのであった。
【０００８】
上記ショーケースの回転型棚構造は先入れ先出しができるように商品を陳列して置く陳列プレートの回転中心を前方に位置させ、陳列プレートの後方を面取りして、回転できるようにすることによって、キャビネットの内部スペースを最大活用することができるし、ドアを開放してから陳列プレートの後方位置を開放位置まで回転させて外部から商品を便利に補充して先入れ先出しができるし、金属板を切曲形成して組立てることで耐久性を持つようにし、回転がうまくなり、キャビネットのスペースを最小化することができるので、冷気のロスを減らすことができるのであった。
しかし、上記ショーケースの回転型棚構造は、商品および棚から伝えられる垂直荷重を支える支柱フレームと商品を載置する陳列プレートの構成上の特徴によって、重量が過多になることはもちろん、棚を回すためには大きな人の力が求められ、ボールキャースターに異物質などが付いてうまく回転しなくなったり、固定部材の構造の特徴上、組立てが不便である問題があった。
【発明の概要】
【発明が解決しようとする課題】
【０００９】
それで、本発明は上述した従来の問題を解決し、かつ本出願人の先出願であるショーケースの回転型棚構造を改良したものであって、本発明の目的は、ドアを開放してから外部で商品を楽に補充し、先入れ先出しができるように商品を陳列することのできる多数の陳列プレートを回転自在に構成し、また多数の商品陳列プレートを冷気がうまく循環する同時に軽量化できる簡単な組立て構造として改善し、支柱フレームを分割して軽量化し、耐久性を増大するために相互結合する上部板と下部板の構造を改良し、ボールキャスターに異物質などが入ることを防止して回転がうまくできるようにし、固定部材の構造を改良して設置及び交替が便利になるようにし、またキャビネットの内部スペースを最小化して効率を最大化することのできる、すごく経済的なショーケースの回転型棚構造を提供するのである。
【００１０】
また、本発明の目的は陳列プレートの取付及び取外しがもっと便利になるようにするショーケースの回転型棚の構造を提供するのである。
【課題を解決するための手段】
【００１１】
上記の目的を達するために本発明は、本出願人が先出願した技術を改良したショーケースの回転型棚構造であって、異物質などの流入を防止するように改善したベース板と、重量を最小化すると同時に原材料の節減し、組立ての便利性の考えて、第１柱と第２柱と分割形成した支柱フレームと、この支柱フレームの上下端に結合する、改善された下部板及び上部板と、上記上部板を便利に軸支して結合される、改善した固定部材と、上記柱フレームの第１柱に形成された固定溝及び第２柱に形成された固定溝に両端掛けられる固定ピンを結合しながら、商品を陳列するローラー部材を載せるように、分割形成した後に組立てる構成になっていて、重量を最小化することができて冷気がうまく循環し、回転する際に、キャビネットの壁面に触れないように改善した陳列プレートを有することを技術的な構成上の特徴とすることができる。
【００１２】
また、本発明の目的は陳列プレートを固定ピンで取付けないで、クリップを利用した支柱フレームに簡単に取付けたり取外したりすることができるようにすることを、その技術的構成上の特徴にすることができる。
【発明の効果】
【００１３】
本発明によると、商品の先入れ先出しができるように商品を陳列して置く陳列プレートを、比重の低いアルミニアム素材で押出成形した前面フレームと、後面フレームと、ガイド片で形成して相互組立てるようにし、回転のために多角形の後方板で構成することで、重量を減らすことができる同時に冷気の循環を促すこともできるし、支柱フレームも中間部がなくて第１柱と第２柱に分割形成して上下端に結合される下部板と上部板の結合構造を改善することによって、重量を減らしながらも堅固さを維持することができるし、ベース板を改善してボールキャスターに異物質などが入ることを防止するので、いつもうまく回転することができるようになり、固定部材の改良によって、設置及び交替が便利になり、またキャビネットの内部スペースを最小化することのできる、すごく経済的な発明である。
【００１４】
また、本発明は陳列プレートのガイド板の底面に穿孔した嵌合溝が、支柱フレームに結合されているクリップの突起に嵌合する簡単な動作だけで、陳列プレートの取付けがなされ、陳列プレートを持ち上げるだけで取外せるので、簡単に使用することのできるとても便利な発明である。
【図面の簡単な説明】
【００１５】
【図１】従来のショーケースの回転型棚構造の分解斜視図
【図２】図１のショーケースの回転型棚構造がショーケースに取付けられているのを一部省略した断面図
【図３】本発明によるショーケースの回転型棚構造の分解斜視図
【図４】図３のショーケースの回転型棚構造がショーケースに取付けられているのを一部省略した断面図
【図５】本発明によるショーケースの回転型棚構造の中、上部板と支柱部材の結合状態を 示す拡大斜視図
【図６】本発明によるショーケースの回転型棚構造の中、陳列プレートの分解斜視図
【図７ａ】本発明によるショーケースの回転型棚構造の中、陳列プレートの結合状態を示す斜視図及び結合断面図
【図７ｂ】本発明によるショーケースの回転型棚構造の中、陳列プレートの結合状態を示す斜視図及び結合断面図
【図８】本発明によるショーケースの回転型棚構造がキャビネットの内部で回転するのを示す断面図
【図９ａ】本発明によるショーケースの回転型棚構造の中、陳列プレートの他実施例を示す分解斜視図及び結合斜視図
【図９ｂ】本発明によるショーケースの回転型棚構造の中、陳列プレートの他実施例を示す分解斜視図及び結合斜視図
【図１０】本発明によるショーケースの回転型棚構造の中、陳列プレートのまた他の実施例を示す分解斜視図
【発明を実施するための形態】
【００１６】
以下、図１及び図２の従来技術で付与した符号と同一部分に対しては同一な符号を付与し、添付の図３から図１０を参照して本発明の好ましい実施例を詳しく説明する。
【００１７】
図３及び図４は本発明の実施例によるショーケースの回転型棚構造を示す分解斜視図及び、ショーケースに取付けられている状態をしめす断面図であって、符号１はショーケース、１１はキャビネット、１２はドア、１００は回転型棚構造である。
【００１８】
通常的にショーケース１は冷蔵または冷凍状態の商品を陳列して販売するスペースを提供するキャビネット１１と、商品を陳列販売するための開放部分を開閉するドア１２とでなって、冷凍システム(図示せず)から冷気をキャビネット１１の内部へ供給してもらうようになる。
【００１９】
そして、上記ショーケース１のキャビネット１１の内部に、商品を陳列して先入れ先出しできるように傾斜面になっている多数の陳列プレート７を配置した棚構造１００を、回転自在に取付けるようになる。
【００２０】
本発明の改良した特徴技術である棚構造１００は荷重を最小化する共に便利な組立て及び耐久性の維持、また原価の節減と回転自在にすることを目標としている。この目標を達するため金属板材１mm〜４mmの厚さを持つ素材を使い、耐久性を増大するために切曲形成と共に分割形成することになる。陳列プレート７は素材を変更し、組立て構造を改善することで、その重量を減らし、冷気がうまく循環するように構成される。
【００２１】
本発明の棚構造１００は図３及び図４で示すように、キャビネット１１の内部底及び壁面に固定され、回転中心軸を支持するベース板２と固定部材６と、回転中心になる下部板３と上部板５と、上記下部板３と上部板５を上下端に固定する支柱フレーム４と、上記支柱フレーム４に多数結合される商品陳列用陳列プレート７とで構成され、これらは通常的な固定ボルト及び締結ネジなどによって結合される。
【００２２】
ベース板２は棚構造１００の全体荷重と陳列される商品の重量を支えるもので、キャビネット１１の内部底に締結ネジによって固定しながらその中央に下部軸２１を取付けることになる。上記下部軸２１は棚構造１００が回転するための中心軸になる。特にベース板２は下部板３が回転する際、触れたりしないように下部板３の回転半径に合わせて円形板として形成され、この円形板の縁部が垂直に切曲されて遮断壁２２を形成する。
【００２３】
下部板３はベース板２の下部軸２１に嵌合されて、回転をうまくするためのブシュ３１を底面の中央に取付け、もっと円滑な回転と荷重の支えのために底面に多数のボールキャスター３２を万遍なく取付け、縁部を直交方向に切曲しながら両側が狭くなる「 
0005791218.tif 000004
」形態に形成される。また、下部板３は上記ベース板２のように、棚構造１００の全体荷重と陳列される商品の重量を支えることができるように構成する。
【００２４】
上部板５は中央上部にブシュ５１を取付けることになり、縁部を直交方向に切曲して耐久性を高める。
【００２５】
一方、上記下部板３と上部板５には分割形成される支柱フレーム４の第１柱４aと第２柱４bの上下端の一部が嵌合されて貫通するように、前後方に各々嵌合溝３３及び嵌合溝５２を空ける。
【００２６】
支柱フレーム４は下部板３及び上部板５の両端に固定されてフレームを構成するように左右に配置されて一組みになり、一つの支柱フレーム４は重量を最小化し、原価を節減するため、中間部をなくして第１柱４aと第２柱４ｂで分割形成し、下部板３及び上部板５の一側の前後方の角部が結合するようになる。
【００２７】
上記第１柱４aと第２柱は耐久性を増大するため、「 
0005791218.tif 000005
」形状に切曲形成するようになり、下部板３の嵌合溝３３と上部板５の 嵌合溝５２に上下端が嵌合されるように上下端に切開部(４１´、４２´)を形成し、多数の固定溝(４１、４２)を垂直方向に沿って等間隔で形成して、陳列プレート７を所定間隔で多数設けるように形成される。上記固定溝４１と固定溝４２は図４を参照してみると、陳列プレート７を固定する固定ピンを挿入する所である。上記固定溝４１はキャビネット１１の内側の方には開放され、ドア１２の方には閉鎖されて、陳列プレート７が前方に滑動して出ることを防ぐ役割をする。上記固定溝４２はキャビネット１１の内側には開放されて引掛凸部４２″が形成され、ドア１２の方には閉鎖されていて、陳列プレート７が前方に滑動して出ることを防ぐ役割をする。また、上記固定溝４２の引掛凸部４２″は陳列プレート７が後方に押されて外されることを防ぐ。また、支柱フレーム４の第１柱４aと第２柱４ｂの下部内側に補強用アングル４３をスポット溶接、又は固定ボルトで固定したら、アングル４３が下部板３の上部に置かれるので、支柱フレーム４へ伝えられる荷重が固定ボルトにだけ集中されることなく、下部板３の上側にも分散するので、安全性が増大する。
【００２８】
固定部材６は上記上部板５に取付けられたブシュ５１に嵌合される上部軸６１を装着してキャビネット１１の庫内壁面に固定するもので、棚構造１００が回転するための中心を維持しながら、上記支柱フレーム４の直交状態を調節することになる。つまり、支柱フレーム４の直交状態の調節を便利にするため、固定部材６は、上部軸６１を装着する固定板６２と、上記固定板６２の両端に嵌合されて水平部分６３aが固定されながら、上記キャビネット１１の両側壁に当って接して垂直部６３ｂが固定される一組みの支持板６３とで成る。上記支持板６３の水平部分６３aに空けられる長孔は固定ボルトで締結する際、両側壁の間隔が狭かったり広かったら、距離を補償することができるし、上記支持板６３の垂直部６３ｂに空けられる長孔は支持板６３の上部軸６１を上部板５のブシュ５１に嵌合する時に便利になるように、上下流動スペースを提供しながら固定ボルトによってキャビネット１１の壁面に固定される。特に上記支持板６３が壁面に固定された状態で固定板６２を嵌めることが便利になるように、支持板の上部が開放された状態で形成して、固定板６２が図４の仮想線のように上側から下降しながら便利に上部軸６１がブシュ５１に結合するように構成することが好ましい。
【００２９】
図６で示すように、商品を陳列する陳列プレート７は、固定ピン７２と、前面フレーム７３と、後面フレーム７４と、ガイド板７５と、支持フレーム７６及び後方板７７で構成され、全体的にローラー部材８´が載せられて商品を陳列することができるように「 
0005791218.tif 000006
」形態の多角形として形成される。上記固定ピン７２は支柱フレーム４の第１柱４aの固定溝４１及び第２柱４ｂの固定溝４２に挿入されて跨る状態で掛かれて結合する。この固定ピン７２の両端が露出された状態で上記前面フレーム７３及び後面フレーム７４が結合する。上記ガイド板７５は前面フレーム７３と後面フレーム７４が距離を維持しながら載せられて固定結合すると共に、商品が離脱することを防ぐ垂直壁７５１が形成される。上記支持フレーム７６はガイド板７５の中間で固定結合される。上記後方板７７は四角形の後方が面取りされた形で陳列プレート７の後方に配置され、陳列プレート７が回転する際、キャビネット１１の壁面に触れないように結合され、陳列プレート７が回転する際、前面フレーム７３の角部がキャビネット１１の壁面に触れないように回転中心が前方の方にあるようにして、上記後面フレーム７４に固定される。上記陳列プレート７の傾きは陳列プレート７を多数装着することができる支柱フレーム４の第１柱４aと第２柱４ｂに形成されている固定溝４１と固定溝４２の高さによって決めらるもので、普通は∠３〜１０°の傾斜になるように構成する。
【００３０】
上記陳列プレート７は自体重量を下げて冷気の循環をよくするために、前面フレーム７３、ガイド板７５及び支持フレーム７６は比重の低いアルミニアム素材で押出成形することになり、耐久性及び重量の最小化のためにも、図７a及び図７ｂで示すようにローラー部材８´が嵌合する部分と、後方板７７の一端が嵌合する部分が開放され、その外の固定ピン７２が挿入される部分は管状として形成する。
【００３１】
また、上記陳列プレート７には、図７ｂのように陳列商品を仕切るガイド８１を設けると同時に、回転型ローラー８３を多数備えたローラー部材８´を載せて使うので、商品別に分別して仕切り、商品別先入れ先出しが容易になるように構成される。
【００３２】
また、本発明は図９a及び９ｂのように、陳列プレート７を構成することにおいて、前面フレーム７３と、後面フレーム７４と、ガイド板７５と、支持フレーム７６及びローラー部材８´とで組み立てるが、後方板７７は除外することができて、上記後方板７７を除いた場合は、初期商品の陳列数量が同じなので、各々の商品の販売数量のチェックが簡単になる。
【００３３】
また、本発明は図１０に示すように、上記固定ピン７２を使わない方法として、上記陳列プレート７のガイド板７５の底面に引掛溝(７５２)を前後方に空け、上記支柱フレーム４の第１柱４a及び第２柱４ｂに形成された固定溝４１、４２に嵌合して固定されるクリップ９を備え、このクリップ９の突起９１に、上記陳列プレート７のガイド板７５の底面に形成された引掛溝部７５２が結合するようにしながら、後方プレート７７を除いた状態で陳列プレート７を構成することができる。
【００３４】
図面中の説明してない符号７８は陳列プレート７に載せる通常的なローラー部材８´の後方に嵌合される仕上げ部材であり、符号７３１は商品名や価額表示を入れるように前面フレーム７３に突出形成した表示部である。
【００３５】
続いて、上記のように構成された本発明のショーケースの回転型棚構造の設置及び作動に対して説明する。
【００３６】
ショーケース１のキャビネット１１内部に棚構造１００を設置するため、ベース板２と、固定部材６と、商品を陳列する多数の陳列プレート７と、下部板３と、支柱フレーム４及び上部板５が相互結合して一つの構造物を形成するために、分離して各々準備する。
【００３７】
まずは、下部軸２１が取付けられているベース板２をキャビネット１１の底に締結ネジで固定するにおいて、図３及び図４で示すように下部軸２１の中心がキャビネット１１の底の中央部ではなく、前方の所定位置に設定することになる。つまり、上記下部軸２１の上側に、後で取付けられる陳列プレート７が回転する際、陳列プレート７の前方角部及び後方角部がキャビネット１１の壁面及びドアに触れないように回転中心を設定することになる。
【００３８】
次に、上記ベース板２の下部軸２１に対応するキャビネット１１の天井部に固定部材６の支持板６３を仮設置することになる。上記固定部材６の支持板６３の仮設置はベース板２の下部軸２１と同一の垂直方向位置に上部軸６１が位置するように、固定板６２の両端を結合するようになる支持板６３の垂直部６３bを、キャビネット１１の壁面に固定ボルトを利用して固定するようになる。その時上部軸６１が取付けられた固定板６２は後の装着のために待機させるようになる。
【００３９】
次に、商品を陳列する陳列プレート７を多数装着することができるし、陳列プレート７の前後位置を変更して商品を陳列したり販売したりすることができるように回転する一つの回転型棚構造１００を組立てる。上記棚構造１００は、下部板３と支柱フレーム４及び上部板５は固定ボルトとナット及び締結ネジなどを利用して相互結合される。上記下部板３はブシュ３１が固定され、ボールキャスターが万遍なく取りつけられている状態であり、上記上部板５にはブシュが固定されている状態である。上記基本組立て状態で下部板３と上部板５を上記の一組みになる支柱フレーム４の第１柱４a及び第２柱４ｂの上下部に固定ボルト及びナットを利用して締結することで組立てが完了する。上記ナットは作業の便利性のため、下部板３と上部板５に溶接などの方法で予め固定されている。
【００４０】
つまり、上記の下部板３と上部板５が支柱フレーム４の第１柱４a及び第２柱４ｂに結合される際、図５で示すように第１柱４a及び第２柱４ｂに形成されている切開部４１´、４２'によって垂直部分が一致して嵌合されて、下部板３と上部板５に空けられている嵌合溝３３、５２に第１柱４a 及び第２柱４ｂが貫通して嵌合され、上記下部板３と上部板５の各角部と第１柱及び第２柱の切曲部が密着して相好結合されるし、また固定ボルトで締結したらより堅固に組立てられる。
【００４１】
次に、支柱フレーム４の第１柱４aと第２柱４bとの下部内側に補強用アングル４３をスポット溶接、または固定ボルトで固定して、アングル４３の底面が下部板３の上部に当って荷重を伝えるように組立てる。
【００４２】
次に、上記下部板３、支柱フレーム４及び上部板５が相互結合されて一つのフレームとして構成された状態で、下部板３に固定されたブシュ３１を、キャビネットの底に固定されているベース板２の下部軸２１と一致するようにして嵌合しながら立てると、図４で示すように下部板３に固定されたボールキャスター３２はベース板２の上部面に当るようになり、上記上部板５に固定されているブシュ５１は固定部材６のすぐ下側に位置するようになる。
【００４３】
上記状態において、固定部材６の固定板６２を、上部が開放されている支持板６３の上側で、図４で示すように固定板６２に固定されている上部軸６１が上部板５のブシュ５１に嵌められるように降りて相互結合させた後、固定板６２を支持板６３の水平部６３aに固定ボルトで締結して固定し、上記支持板６３の垂直部６３ｂを固定ボルトでキャビネット１１の壁に堅固に固定すると、上部軸６１は結合されたブシュ５１の回転中心軸の役割をするようになる。
【００４４】
上記の下部板３、支柱フレーム４及び上部ピン５２が相互結合された一体になっている一つの回転型棚構造１００は、ベース板２の下部軸２１と固定部材６の上部軸６１を中心として回転するようになり、回転する際、下部板３に取付けられているボールキャスター３２が、棚自体の荷重及び陳列された商品の重量を分散させて回転がうまくなるようにする。
【００４５】
次に、陳列プレート７は各々押出成形された前面フレーム７３、後面フレーム７４、支持フレーム７６を所定間隔を維持するように、両端にガイド板７５がネジ締結で組立てられ、後面フレーム７４に後方板７７を取付けながら、その上部にローラー部材８´を共に組立てても、図７a で示すような単位陳列プレートを組立てることができる。
【００４６】
次に、上記組立てられた単位陳列プレート７の前面フレーム７３及び後方フレーム７４に固定ピン７２を挿入した状態において、陳列プレート７の前面フレーム７３に挿入した固定ピン７２を、支柱フレーム４の第１柱４aに形成されている固定溝４１に挿入しながら後面フレーム７４に挿入されている固定ピン７２の両端を第２柱４ｂに形成されている固定溝４２に挿入して掛けておいたら、引掛凸部４２″によって後方に移動することが防がれ、図４で示すように安定的な傾斜で取付けられる。上述するように繰り返して、陳列プレート７の商品を引出したり、補充するのによい所定間隔で多数取付けて使うようになる。
【００４７】
上記のように組立てられた回転型棚構造１００は、図８で示しようにキャビネット１１の底の中心よりもドア１２の方へ移動している回転中心を基準にして回転する際、陳列プレートの後方板７７の面取り部分がキャビネット１１の壁面に触れないで回転するようになる。上記陳列プレート７が回転してドアの方に位置したら、外部から販売商品の補充を容易にするようになる。
【００４８】
従って、回転型棚構造１００は、第１柱４aと第２柱４ｂとで分割形成した支柱フレーム４の連結部分がないので、重量減少で回転がうまくなり、原材料の費用の節減もできるし、下部板３及び上部板５に形成された嵌合溝(３３、５２)と、第１柱４aと第２柱４bに形成された切開部４１´、４２´の相互嵌合の組立てによって歪みや変形の防止ができるので耐久性の維持が可能になり、押出成形した各部品を組立て形成する陳列プレート７も重量が減少し、冷気の循環がうまくなって商品を鮮度を維持することができるようになり、固定部材６の支持板６３の上部を開放することで、固定板６２の組立て及び分離も便利になり、ベース板２に形成された遮断壁２２が異物質や飲物などがボールキャスター３２および下部軸２１に入ることを防ぐので、いつもうまく回転することができるのである。
【００４９】
また、図９aのように、後方板７７を除いた陳列プレート７を使うこともできるし、上記後方プレート７７がない場合は、初期商品の陳列数量が同じなので、販売されて空いたスペースや残っている数を見て分かるので、商品の販売数量チェックが素早くできる。
【００５０】
また、本発明は図１０に示しように、 支柱フレーム４の第１柱４a及び第２柱４ｂに形成されている固定溝４１、４２に嵌合されて固定するクリップ９を備え、このクリップ９の突起９１に上記陳列プレート７のガイド板７５の底面に形成された引掛溝部７５２が結合されるようにして、後方プレート７７を除いた状態で陳列プレート７を構成したら、単純に載せて固定し、持ち上げて外す便利性を提供することができる。
【００５１】
以上で本発明の好ましい実施例に関して説明と図示したが、上記の説明や図示は本発明の構成及び作用を限定するのではない。従って、上記実施例を適切に変形や修正することができるのを当業者はよく分かっているので、適切な変更及び修正と均等物は本発明の範囲に属することと見なすべきである。
【符号の説明】
【００５２】
１：ショーケース
１１：キャビネット
１２：ドア
２：ベース板
２１：下部軸
３：下部板
３１：ブシュ
３２：ボールキャスター
４：支柱フレーム
４a：第１柱
４ｂ：第２柱
４１,４２：固定溝
４１´：切開部
４２´：切開部
５：上部板
５１：ブシュ
６：固定部材
６１：上部軸
７：陳列プレート
８´：ローラー部材
【図１】
0005791218.tif 000009
【図２】
0005791218.tif 000010
【図３】
0005791218.tif 000011
【図４】
0005791218.tif 000012
【図５】
0005791218.tif 000013
【図６】
0005791218.tif 000014
【図７ａ】
0005791218.tif 000015
【図７ｂ】
0005791218.tif 000016
【図８】
0005791218.tif 000017
【図９ａ】
0005791218.tif 000018
【図９ｂ】
0005791218.tif 000019
【図１０】
0005791218.tif 000020